(57)【特許請求の範囲】
【請求項１】
ズームレンズであって、
前記ズームレンズにおける、ズーミングのためには移動しないリレーレンズ群の光路に対して挿抜されることにより前記ズームレンズの焦点距離を変更するエクステンダレンズ群を有し、
前記エクステンダレンズ群は、最も大きい空気間隔を挟んで物体側に配置され且つ正の屈折力を有する前群と、該空気間隔を挟んで像側に配置され且つ負の屈折力を有する後群とから構成され、
前記後群は、接合レンズと、負レンズとから構成され、
前記エクステンダレンズ群の全長をＬ＿ＩＥとし、前記前群と前記後群との間の主点間隔をＨＨとし、前記エクステンダレンズ群に含まれる正レンズの、ｄ線に対する平均屈折率をＮｐとし、前記エクステンダレンズ群に含まれる負レンズの、ｄ線に対する平均屈折率をＮｎとし、前記エクステンダレンズ群に含まれる各レンズの焦点距離をｆｍ（ｍ＝１，２，３，・・・）とし、前記後群の焦点距離をｆＮとし、前記後群全体の屈折力をφＮとし、前記後群に含まれるレンズの、ｄ線に対する屈折力の絶対値の和をφＳＵＭとして、
０．２２＜Ｎｎ−Ｎｐ
｜ｆｍ／ｆＮ｜＜１０．０
０．８５＜ＨＨ／Ｌ＿ＩＥ
−１５．０＜φＳＵＭ／φＮ＜−３．０
なる条件式を満たすことを特徴とするズームレンズ。
【請求項２】
ズームレンズであって、
前記ズームレンズにおける、ズーミングのためには移動しないリレーレンズ群の光路に対して挿抜されることにより前記ズームレンズの焦点距離を変更するエクステンダレンズ群を有し、
前記エクステンダレンズ群は、最も大きい空気間隔を挟んで物体側に配置され且つ正の屈折力を有する前群と、該空気間隔を挟んで像側に配置され且つ負の屈折力を有する後群とから構成され、
前記前群は、正レンズと、接合レンズとから構成され、
前記エクステンダレンズ群の全長をＬ＿ＩＥとし、前記前群と前記後群との間の主点間隔をＨＨとし、前記エクステンダレンズ群に含まれる正レンズの、ｄ線に対する平均屈折率をＮｐとし、前記エクステンダレンズ群に含まれる負レンズの、ｄ線に対する平均屈折率をＮｎとし、前記エクステンダレンズ群に含まれる各レンズの焦点距離をｆｍ（ｍ＝１，２，３，・・・）とし、前記後群の焦点距離をｆＮとし、前記接合レンズのうちの正レンズの物体側の曲率半径をＲ１ｐとし、該正レンズの像側の曲率半径をＲ２ｐとして、
０．２２＜Ｎｎ−Ｎｐ
｜ｆｍ／ｆＮ｜＜１０．０
０．８５＜ＨＨ／Ｌ＿ＩＥ
０．４５＜（Ｒ２ｐ＋Ｒ１ｐ）／（Ｒ２ｐ−Ｒ１ｐ）＜５．０
なる条件式を満たすことを特徴とするズームレンズ。
【請求項３】
ズームレンズであって、
前記ズームレンズにおける、ズーミングのためには移動しないリレーレンズ群の光路に対して挿抜されることにより前記ズームレンズの焦点距離を変更するエクステンダレンズ群を有し、
前記エクステンダレンズ群は、最も大きい空気間隔を挟んで物体側に配置され且つ正の屈折力を有する前群と、該空気間隔を挟んで像側に配置され且つ負の屈折力を有する後群とから構成され、
前記エクステンダレンズ群の全長をＬ＿ＩＥとし、前記前群と前記後群との間の主点間隔をＨＨとし、前記エクステンダレンズ群に含まれる正レンズの、ｄ線に対する平均屈折率をＮｐとし、前記エクステンダレンズ群に含まれる負レンズの、ｄ線に対する平均屈折率をＮｎとし、前記エクステンダレンズ群に含まれる各レンズの焦点距離をｆｍ（ｍ＝１，２，３，・・・）とし、前記後群の焦点距離をｆＮとして、
０．２２＜Ｎｎ−Ｎｐ
｜ｆ１／ｆＮ｜≦２．０１
０．８５＜ＨＨ／Ｌ＿ＩＥ
なる条件式を満たすことを特徴とするズームレンズ。
【請求項４】
前記前群は、正レンズと、接合レンズとを有することを特徴とする請求項１または請求項３に記載のズームレンズ。
【請求項５】
前記後群は、接合レンズを有することを特徴とする請求項２または請求項３に記載のズームレンズ。
【請求項６】
無限遠に合焦している状態かつ広角端における、前記エクステンダレンズ群のうちの最も物体側の面での軸上光線の最大高さをｈ＿ｉｎとし、無限遠に合焦している状態かつ広角端における、前記エクステンダレンズ群のうちの最も像側の面での軸上光線の最大高さをｈ＿ｏｕｔとして、
１．５０＜ｈ＿ｉｎ／ｈ＿ｏｕｔ＜３．５０
なる条件式を満たすことを特徴とする請求項１ないし請求項５のうちいずれか１項に記載のズームレンズ。
【請求項７】
前記後群は、接合レンズと、負レンズとから構成され、前記後群全体の屈折力をφＮとし、前記後群に含まれるレンズの、ｄ線に対する屈折力の絶対値の和をφＳＵＭとして、
−１５．０＜φＳＵＭ／φＮ＜−３．０
なる条件式を満たすことを特徴とする請求項２または請求項３に記載のズームレンズ。
【請求項８】
前記前群は、正レンズと、接合レンズとから構成され、該接合レンズのうちの負レンズの物体側の曲率半径をＲ１ｎとし、該負レンズの像側の曲率半径をＲ２ｎとして、
−５．０＜（Ｒ２ｎ＋Ｒ１ｎ）／（Ｒ２ｎ−Ｒ１ｎ）＜−０．６
なる条件式を満たすことを特徴とする請求項１ないし請求項７のうちいずれか１項に記載のズームレンズ。
【請求項９】
ズームレンズにおける、ズーミングのためには移動しないリレーレンズ群の光路に対して挿抜されることにより、前記ズームレンズの焦点距離を変更するエクステンダレンズ群であって、
前記エクステンダレンズ群は、最も大きい空気間隔を挟んで物体側に配置され且つ正の屈折力を有する前群と、該空気間隔を挟んで像側に配置され且つ負の屈折力を有する後群とから構成され、
前記後群は、接合レンズと、負レンズとから構成され、
前記エクステンダレンズ群の全長をＬ＿ＩＥとし、前記前群と前記後群との間の主点間隔をＨＨとし、前記エクステンダレンズ群に含まれる正レンズの、ｄ線に対する平均屈折率をＮｐとし、前記エクステンダレンズ群に含まれる負レンズの、ｄ線に対する平均屈折率をＮｎとし、前記エクステンダレンズ群に含まれる各レンズの焦点距離をｆｍ（ｍ＝１，２，３，・・・）とし、前記後群の焦点距離をｆＮとし、前記後群全体の屈折力をφＮとし、前記後群に含まれるレンズの、ｄ線に対する屈折力の絶対値の和をφＳＵＭとして、      ０．２２＜Ｎｎ−Ｎｐ
｜ｆｍ／ｆＮ｜＜１０．０
０．８５＜ＨＨ／Ｌ＿ＩＥ
−１５．０＜φＳＵＭ／φＮ＜−３．０
なる条件式を満たすことを特徴とするエクステンダレンズ群。
【請求項１０】
ズームレンズにおける、ズーミングのためには移動しないリレーレンズ群の光路に対して挿抜されることにより、前記ズームレンズの焦点距離を変更するエクステンダレンズ群であって、
前記エクステンダレンズ群は、最も大きい空気間隔を挟んで物体側に配置され且つ正の屈折力を有する前群と、該空気間隔を挟んで像側に配置され且つ負の屈折力を有する後群とから構成され、
前記前群は、正レンズと、接合レンズとから構成され、
前記エクステンダレンズ群の全長をＬ＿ＩＥとし、前記前群と前記後群との間の主点間隔をＨＨとし、前記エクステンダレンズ群に含まれる正レンズの、ｄ線に対する平均屈折率をＮｐとし、前記エクステンダレンズ群に含まれる負レンズの、ｄ線に対する平均屈折率をＮｎとし、前記エクステンダレンズ群に含まれる各レンズの焦点距離をｆｍ（ｍ＝１，２，３，・・・）とし、前記後群の焦点距離をｆＮとし、前記接合レンズのうちの正レンズの物体側の曲率半径をＲ１ｐとし、該正レンズの像側の曲率半径をＲ２ｐとして、
０．２２＜Ｎｎ−Ｎｐ
｜ｆｍ／ｆＮ｜＜１０．０
０．８５＜ＨＨ／Ｌ＿ＩＥ
０．４５＜（Ｒ２ｐ＋Ｒ１ｐ）／（Ｒ２ｐ−Ｒ１ｐ）＜５．０
なる条件式を満たすことを特徴とするエクステンダレンズ群。
【請求項１１】
ズームレンズにおける、ズーミングのためには移動しないリレーレンズ群の光路に対して挿抜されることにより、前記ズームレンズの焦点距離を変更するエクステンダレンズ群であって、
前記エクステンダレンズ群は、最も大きい空気間隔を挟んで物体側に配置され且つ正の屈折力を有する前群と、該空気間隔を挟んで像側に配置され且つ負の屈折力を有する後群とから構成され、
前記エクステンダレンズ群の全長をＬ＿ＩＥとし、前記前群と前記後群との間の主点間隔をＨＨとし、前記エクステンダレンズ群に含まれる正レンズの、ｄ線に対する平均屈折率をＮｐとし、前記エクステンダレンズ群に含まれる負レンズの、ｄ線に対する平均屈折率をＮｎとし、前記エクステンダレンズ群に含まれる各レンズの焦点距離をｆｍ（ｍ＝１，２，３，・・・）とし、前記後群の焦点距離をｆＮとして、
０．２２＜Ｎｎ−Ｎｐ
｜ｆ１／ｆＮ｜≦２．０１
０．８５＜ＨＨ／Ｌ＿ＩＥ
なる条件式を満たすことを特徴とするエクステンダレンズ群。
【請求項１２】
請求項１ないし請求項８のうちいずれか１項に記載のズームレンズと、
前記ズームレンズの像面に配された撮像素子と、
を有することを特徴とする撮像装置。
【発明の詳細な説明】
【技術分野】
【０００１】
本発明は、テレビカメラやビデオカメラ及び写真用カメラ、放送用テレビカメラ、映画撮影用カメラに好適な内蔵エクステンダ付のズームレンズに関するものである。
【背景技術】
【０００２】
近年、テレビカメラなどの撮像装置には、高ズーム比で、かつ高い光学性能を有したズームレンズが要望されている。高いズーム比を一つのズームレンズでカバーするための方法として、内蔵エクステンダ方式が知られている。内蔵エクステンダ方式は、ズーミングに際して不動のリレーレンズ群内の確保された空間、または一部のレンズが退避した空間に、エクステンダレンズ群を挿抜させて、ズームレンズの焦点距離範囲を長焦点側へ変位させる方式である。
【０００３】
特許文献１では、４群より構成されるズームレンズで、変倍比１００倍、エクステンダの倍率（エクステンダ倍率）２倍の２／３型の放送用テレビカメラに好適なズームレンズが提案されている。
【０００４】
特許文献２では、４群より構成されるズームレンズで、変倍比１２倍、エクステンダ倍率２倍の２／３型の放送用テレビカメラに好適なズームレンズが提案されている。
【先行技術文献】
【特許文献】
【０００５】
【特許文献１】特開２０１２−２７３０８号公報
【特許文献２】特開２０１１−７５６４６号公報
【発明の概要】
【発明が解決しようとする課題】
【０００６】
一般的に、エクステンダレンズ群は最も大きな空気間隔を隔てて前群と後群とに分けることができ、正の屈折力を有する前群で略アフォーカルで入射する光線を収斂させ、光線高さを低減させた後、負の屈折力を有する後群で略アフォーカルに変換し、出射する。
【０００７】
特許文献１、２のレンズ構成のまま、レンズ全長を変更せずにエクステンダ倍率を高倍化するためには、前群の正の屈折力と、後群の負の屈折力を共に大きくする必要がある。大きい屈折力で前群と後群を構成すると、収差の絶対量が増加するだけでなく、高次の項の収差が多く発生する等、収差補正が困難になる。特に、高倍率なエクステンダを達成する場合、収差量の増大に加えて、ペッツバール和の補正が困難となり、周辺性能が悪化する。そのため、エクステンダのレンズ配置を適切に設定する必要がある。
【０００８】
本発明は、例えば、高倍率、高性能、および小型軽量の点で有利なエクステンダレンズ群の提供を目的とする。
【課題を解決するための手段】
【０００９】
本発明のズームレンズは、前記ズームレンズにおける、ズーミングのためには移動しないリレーレンズ群の光路に対して挿抜されることにより、ズームレンズの焦点距離を変更するエクステンダレンズ群を有し、前記エクステンダレンズ群は、最も大きい空気間隔を挟んで物体側に配置され且つ正の屈折力を有する前群と、該空気間隔を挟んで像側に配置され且つ負の屈折力を有する後群とから構成され、前記後群は、接合レンズと、負レンズとから構成され、前記エクステンダレンズ群の全長をＬ＿ＩＥとし、前記前群と後群との間の主点間隔をＨＨとし、前記エクステンダレンズ群に含まれる正レンズの、ｄ線に対する平均屈折率をＮｐとし、前記エクステンダレンズ群に含まれる負レンズ、の平均屈折率をＮｎとし、前記エクステンダレンズ群に含まれる各レンズの焦点距離をｆｍ（ｍ＝１，２，３，・・・）とし、前記後群の焦点距離をｆＮとし、前記後群全体の屈折力をφＮとし、前記後群に含まれるレンズの、ｄ線に対する屈折力の絶対値の和をφＳＵＭとして、
０．２２＜Ｎｎ−Ｎｐ
｜ｆｍ／ｆＮ｜＜１０．０
０．８５＜ＨＨ／Ｌ＿ＩＥ
−１５．０＜φＳＵＭ／φＮ＜−３．０
なる条件式を満たすことを特徴としている。
【発明の効果】
【００１０】
本発明によれば、例えば、高倍率、高性能、および小型軽量の点で有利なエクステンダレンズ群の提供が可能となる。
【図面の簡単な説明】
【００１１】
【図１】本発明の実施例１、２、３、４のズームレンズの広角端で無限遠物体に合焦しているときのエクステンダ挿入前のレンズ断面図である。
【図２】実施例１、２、３、４のエクステンダ挿入前における物体距離１３ｍでの（Ａ）広角端、（Ｂ）焦点距離３５０．１５ｍｍ、（Ｃ）望遠端における縦収差図である。
【図３】本発明の実施例１（エクステンダ倍率２．２倍）のズームレンズの広角端で無限遠物体に合焦しているときのエクステンダ挿入時のレンズ断面図である。
【図４】実施例１（エクステンダ倍率２．２倍）のエクステンダ挿入時における物体距離１３ｍでの（Ａ）広角端、（Ｂ）焦点距離７７０．０１ｍｍ、（Ｃ）望遠端における縦収差図である。
【図５】本発明の実施例２（エクステンダ倍率２．４倍）のズームレンズの広角端で無限遠物体に合焦しているときのエクステンダ挿入時のレンズ断面図である。
【図６】実施例２（エクステンダ倍率２．４倍）のエクステンダ挿入時における物体距離１３ｍでの（Ａ）広角端、（Ｂ）焦点距離８４０．００ｍｍ、（Ｃ）望遠端における縦収差図である。
【図７】本発明の実施例３（エクステンダ倍率２．８倍）のズームレンズの広角端で無限遠物体に合焦しているときのエクステンダ挿入時のレンズ断面図である。
【図８】実施例３（エクステンダ倍率２．８倍）のエクステンダ挿入時における物体距離１３ｍでの（Ａ）広角端、（Ｂ）焦点距離９７８．５１ｍｍ、（Ｃ）望遠端における縦収差図である。
【図９】本発明の実施例４（エクステンダ倍率３．０倍）のズームレンズの広角端で無限遠物体に合焦しているときのエクステンダ挿入時のレンズ断面図である。
【図１０】実施例４（エクステンダ倍率３．０倍）のエクステンダ挿入時における物体距離２ｍでの（Ａ）広角端、（Ｂ）焦点距離１０５０．０１ｍｍ、（Ｃ）望遠端における縦収差図である。
【図１１】本発明の実施例５、６、７、８のズームレンズの広角端で無限遠物体に合焦しているときのエクステンダ挿入前のレンズ断面図である。
【図１２】実施例５、６、７、８のエクステンダ挿入前における物体距離無限遠での（Ａ）広角端、（Ｂ）焦点距離２８．２０ｍｍ、（Ｃ）望遠端における縦収差図である。
【図１３】本発明の実施例５（エクステンダ倍率１．８倍）のズームレンズの広角端で無限遠物体に合焦しているときのエクステンダ挿入時のレンズ断面図である。
【図１４】実施例５（エクステンダ倍率１．８倍）のエクステンダ挿入時における物体距離２ｍでの（Ａ）広角端、（Ｂ）焦点距離５０．７６ｍｍ、（Ｃ）望遠端における縦収差図である。
【図１５】本発明の実施例６（エクステンダ倍率２．２倍）のズームレンズの広角端で無限遠物体に合焦しているときのエクステンダ挿入時のレンズ断面図である。
【図１６】実施例６（エクステンダ倍率２．２倍）のエクステンダ挿入時における物体距離２ｍでの（Ａ）広角端、（Ｂ）焦点距離６２．０４ｍｍ、（Ｃ）望遠端における縦収差図である。
【図１７】本発明の実施例７（エクステンダ倍率２．４倍）のズームレンズの広角端で無限遠物体に合焦しているときのエクステンダ挿入時のレンズ断面図である。
【図１８】実施例７（エクステンダ倍率２．４倍）のエクステンダ挿入時における物体距離２ｍでの（Ａ）広角端、（Ｂ）焦点距離６７．６８ｍｍ、（Ｃ）望遠端における縦収差図である。
【図１９】本発明の実施例８（エクステンダ倍率２．５倍）のズームレンズの広角端で無限遠物体に合焦しているときのエクステンダ挿入時のレンズ断面図である。
【図２０】実施例８（エクステンダ倍率２．５倍）のエクステンダ挿入時における物体距離２ｍでの（Ａ）広角端、（Ｂ）焦点距離７０．５０ｍｍ、（Ｃ）望遠端における縦収差図である。
【図２１】（Ａ）は本発明の原理概略図である。（Ｂ）は従来構造の概略図である。
【図２２】本発明の撮像装置の要部概略図である。
【発明を実施するための形態】
【００１２】
以下、添付した図を参照しながら、本発明のズームレンズの特徴について説明する。
【００１３】
本発明の実施例１〜４のズームレンズは、物体側から像側へ順に、フォーカスレンズ部と、ズーミングに際して移動するレンズ群を含むズーム部と、光量調節用の開口絞りと、ズーミングのためには移動しないリレー部（第４レンズ群）を有する。リレー部は物体側から順に第４１レンズ群、光路中から挿抜可能な第４２レンズ群、正の屈折力を有する第４３レンズ群から構成される。このリレー部は第４２レンズ群を光路中から退避させた際に、この第４２レンズ群の代わりに光路中に挿入することにより、全系の焦点距離範囲を長焦点側へシフトさせるエクステンダレンズ群を有する。ここで、このエクステンダレンズ群は第４２レンズ群が配置されていた場所と同じ場所に挿入される。
【００１４】
また、本発明の実施例５〜８のズームレンズは、実施例１〜４のリレー部（第４レンズ群）の構成が異なり、第４２レンズ群を有さず、第４１レンズ群と第４３レンズ群のみでリレー部を構成している。焦点距離レンジを長焦点側へシフトさせるエクステンダレンズ群は、第４１レンズ群と第４３レンズ群の間に挿抜される。
【実施例１】
【００１５】
図１は本発明の実施例１のズームレンズの広角端で無限遠物体に合焦時、かつエクステンダ挿入前のレンズ断面図である。後述する実施例２〜４のエクステンダ挿入前のレンズも同じである。
【００１６】
Ｕ１はズーミングのためには移動しない正の屈折力の第１レンズ群である。Ｕ１の一部のレンズ群が無限遠物体から近距離物体にフォーカシングする際に物体側に移動する。Ｕ２は広角端（短焦点距離端）から望遠端（長焦点距離端）へのズーミングに際して像側へ移動する変倍用の負の屈折力の第２レンズ群（バリエータレンズ群）である。Ｕ３は第２レンズ群Ｕ２に連動して移動し、変倍に伴う像面変動を補正する正の屈折力の第３レンズ群（コンペンセータレンズ群）である。Ｕ４はズーミングに際して不動の開口絞りＳＰを含み、ズーミングに際して不動の正の屈折力のリレーレンズ群である。Ｕ４はＵ４１、Ｕ４２、Ｕ４３の３つの群に分けることができ、Ｕ４２は光路内に挿抜自在でズーミングのためには不動のレンズ群である。ＩＰは像面であり、固体撮像素子（光電変換素子）の撮像面に相当している。
【００１７】
次に、実施例１〜４のエクステンダ挿入前における各群のレンズ構成について説明する。以下、各レンズは物体側より像側へ順に配置されているものとする。
【００１８】
第１レンズ群Ｕ１は負レンズ、正レンズ、正レンズ、正レンズ、正レンズ５枚で構成されている。フォーカシングに際して最も像側の３枚の正レンズが移動する。第２レンズ群Ｕ２は負レンズ１枚、負レンズと正レンズの接合レンズ、負レンズで構成されている。第３レンズ群Ｕ３は正レンズ、正レンズ、負レンズと正レンズの接合レンズ、正レンズで構成されている。第４１レンズ群Ｕ４１は開口絞りと負レンズと正レンズの接合レンズ、負レンズで構成されている。第４２レンズ群Ｕ４２は負レンズと正レンズの接合レンズ、正レンズで構成されている。第４３レンズ群Ｕ４３は正レンズ、負レンズと正レンズの接合レンズ、正レンズと負レンズの接合レンズ、正レンズで構成されている。
【００１９】
図３は実施例１のズームレンズの広角端で無限遠物体に合焦しているときのエクステンダ挿入時のレンズ断面図である。エクステンダ挿入前の第４２レンズ群Ｕ４２が退避した空間にエクステンダレンズ群ＵＥＸＴが挿入されている。さらに、ＵＥＸＴは最も大きい空気間隔を隔てて、前群と後群に分けることができ、前群は正レンズ、正レンズと負レンズの接合レンズ、後群は負レンズと正レンズの接合レンズ、負レンズで構成されている。
【００２０】
一般に、エクステンダは正の屈折力を持った前群と負の屈折力を持った後群とに分けられ、略アフォーカルに入射してきた軸上光線を、前群において収斂状態にし、光線高さをエクステンダ倍率分落とした後に、後群において略アフォーカルに変換する。高倍率のエクステンダとする場合、前群、後群の主点間隔が変わらない限り、前群の収斂の度合いを強める必要があり、前群、後群の屈折力の増大し、収差補正が困難となる。また、単純に前群と後群の間隔を広げることによって主点間隔を広げた場合は、エクステンダの全長が長くなり、レンズの小型化が困難となる。
【００２１】
本発明の原理について、図２１（Ａ）、（Ｂ）を用いて説明する。図２１（Ａ）は本発明のズームレンズの第４群以降の概略構成を示している。図２１（Ｂ）は本発明の利点を説明するために、従来のレンズ装置の第４群以降の概略構成図を示している。図２１に示すように、従来の（Ｂ）は前群と後群の主点間隔が狭く、各群の屈折力を大きくする必要がある。一方、図２１（Ａ）の本発明の構成の場合は、ＩＥ全長を維持したまま、主点間隔を広げている。そのため、レンズ全長に影響なく、各群の屈折力を低減させることができる。図２１の例では、各レンズの屈折率を適切に設定し、物体側から２枚目のレンズＧ２、３枚目のレンズＧ３の形状を適切に設定することで、ＩＥ全長を維持したまま主点間隔を広げることを達成している。また、図２１では、エクステンダ倍率が約２倍の例を示しているが、より低倍率、または高倍率のエクステンダでも良く、限定されない。
【００２２】
本発明の内蔵エクステンダ付ズームレンズは、ズームレンズの一部を構成するズーミング中不動のリレーレンズ群の光路中に挿抜されることにより、ズームレンズの焦点距離範囲を変化させるエクステンダレンズ群を有する。該エクステンダレンズ群は、最も大きい空気間隔を隔てて、物体側に正の屈折力を有する前群、像側に負の屈折力を有する後群を有している。また該エクステンダレンズの全長をＬ＿ＩＥ、前記前群と後群の主点間隔をＨＨ、該エクステンダレンズ群に含まれる正の屈折力を有するレンズの平均屈折率をＮｐ、該エクステンダレンズ群に含まれる負の屈折力を有するレンズの平均屈折率をＮｎ、エクステンダレンズ群に含まれる各レンズの焦点距離をｆｍ（ｍ＝１，２，３，・・・）、後群の焦点距離をｆＮとするとき、
０．２２＜Ｎｎ−Ｎｐ              ・・・（１）
｜ｆｍ／ｆＮ｜＜１０．０          ・・・（２）
０．８５＜ＨＨ／Ｌ＿ＩＥ          ・・・（３）
なる式を満たすことを特徴とするズームレンズである。
【００２３】
条件式（１）は、エクステンダレンズ群ＵＥＸＴ内に含まれる負の屈折力を有するレンズの平均屈折率Ｎｎと、正の屈折力を有するレンズの平均屈折率Ｎｐの差を規定している。
さらに好ましくは、条件式（１）を次の如く設定するのが良い。
０．２３＜Ｎｎ−Ｎｐ              ・・・（１ａ）
【００２４】
条件式（２）は、エクステンダレンズ群に含まれる各レンズの焦点距離ｆｍ（ｍ＝１，２，３，・・・）と、後群の焦点距離ｆＮの商を規定している。条件式（１）及び（２）を満たすことで、エクステンダ倍率の高倍化に伴う周辺性能の悪化を抑制し、画面全域で高い光学性能を達成することが可能となる。条件式（１）及び（２）が満たされないと、正レンズと負レンズの平均屈折率の差が小さくなりすぎ、像面湾曲の補正が困難となる。
好ましくは、条件式（２）を次の如く設定するのが良い。
｜ｆｍ／ｆＮ｜＜５．０            ・・・（２ａ）
さらに好ましくは、条件式（２）を次の如く設定するのが良い。
｜ｆｍ／ｆＮ｜＜３．０            ・・・（２ｂ）
【００２５】
条件式（３）は、エクステンダレンズ群ＵＥＸＴ内の前群、後群の主点間隔とＵＥＸＴの全長との比を規定している。条件式（３）を満たすことで、前群と後群の主点間隔を広げることができ、エクステンダ倍率の高倍化に伴う前群と後群の屈折力の増大を抑制することが可能となる。前群と後群を適切な屈折力にすることにより、収差増大を抑制し、画面全域で高い光学性能を達成するとともに、エクステンダ倍率の高倍化と全長の短縮化の両立が可能となる。条件式（３）が満たされないと、エクステンダ全長に対して前群と後群の主点間隔が狭くなりすぎ、屈折力の大きい前群と後群が必要となるため、収差補正が困難となる。
【００２６】
更に好ましくは、条件式（３）を次の如く設定するのが良い。
０．９５＜ＨＨ／Ｌ＿ＩＥ          ・・・（３ａ）
【００２７】
本発明の更なる実施態様として、前群に正の屈折力を有するレンズ１枚と、正の屈折力を有するレンズと負の屈折力を有するレンズの接合レンズ１枚を有することが望ましい。エクステンダレンズ群ＵＥＸＴでは、後群と比較して前群は入射光線の高さが高いため、前群において球面収差と軸上色収差を補正することが重要である。前群に正の屈折力を有するレンズ１枚と、正の屈折力を有するレンズと負の屈折力を有するレンズの接合レンズ１枚を配置することにより、球面収差補正、軸上色収差補正が有利となる。
【００２８】
本発明の更なる実施態様として、後群に正の屈折力を有するレンズと負の屈折力を有するレンズの接合レンズ１枚を有することが望ましい。エクステンダレンズ群ＵＥＸＴでは、前群と比較して後群は屈折力が大きいため、色収差を補正する構成でない場合、大きい色収差が発生してしまう。そのため、後群に正の屈折力を有するレンズと負の屈折力を有するレンズの接合レンズ１枚を配置することにより、色収差補正が有利となる。
【００２９】
本発明の更なる実施態様として、条件式（４）により、エクステンダレンズ群ＵＥＸＴの入射光線高さと、出射光線高さの比を規定している。
１．５０＜ｈ＿ｉｎ／ｈ＿ｏｕｔ＜３．５０      ・・・（４）
ただし、無限遠合焦時、かつ広角端におけるエクステンダレンズ群ＵＥＸＴの最も物体側の面での軸上光線の最大光線高さをｈ＿ｉｎ、最も像側の面での最大光線高さｈ＿ｏｕｔとする。条件式（４）を満たすことで、画面全域で高い光学性能を有した高倍率なエクステンダレンズを得ることができる。条件式（４）の上限の条件が満たされないと、前群と後群の各屈折力が大きくなり過ぎ、収差補正が困難となる。条件式（４）の下限の条件が満たされないと、光線高さの低減が不十分であり、エクステンダ倍率が低下する。
【００３０】
更に好ましくは条件式（４）を次の如く設定するのが良い。
１．９０＜ｈ＿ｉｎ／ｈ＿ｏｕｔ＜２．８０      ・・・（４ａ）
【００３１】
本発明の更なる実施態様として、後群は正の屈折力を有するレンズと負の屈折力を有するレンズの接合レンズ１枚と、負の屈折力を有するレンズ１枚で構成され、後群に関する屈折力を規定する条件式（５）を満たすことが望ましい。
−１５．０＜φＳＵＭ／φＮ＜−３．０          ・・・（５）
ただし、φＳＵＭは後群の各レンズの屈折力の絶対値の和であり、φＮは後群の全体の屈折力である。φＳＵＭ条件式（５）を満たすことで、後群全体の屈折力に対して個々のレンズの屈折力が大きくなり、ペッツバール和の補正に有利となり、画面全域で高い光学性能を有した高倍率なエクステンダレンズを得ることができる。条件式（５）の上限の条件が満たされないと、ペッツバール和の補正が不十分となり、周辺性能が悪化する。条件式（６）の下限の条件が満たされないと、後群内の個々のレンズの屈折力が大きくなりすぎ、収差補正が困難となる。
【００３２】
更に好ましくは条件式（５）を次の如く設定するのが良い。
−１２．０＜φＳＵＭ／φＮ＜−４．０          ・・・（５ａ）
【００３３】
本発明の更なる実施態様として、前群は正の屈折力を有するレンズ１枚と、正の屈折力を有するレンズと負の屈折力を有する接合レンズ１枚で構成され、接合レンズの正の屈折力を有するレンズの形状を規定する条件式（６）を満たすことが望ましい。
０．４５＜（Ｒ２ｐ＋Ｒ１ｐ）／（Ｒ２ｐ−Ｒ１ｐ）＜５．０    ・・・（６）
ただし、Ｒ１ｐは正レンズの物体側の曲率半径、Ｒ２ｐは像側の曲率半径である。条件式（６）を満たすことで、前群の主点位置を後群の主点位置から遠ざけることが可能となり、画面全域で高い光学性能を有した高倍率なエクステンダレンズを得ることができる。条件式（６）の上限の条件が満たされないと、正レンズの屈折力が小さくなり過ぎ、収差補正が困難となる。条件式（６）の下限の条件が満たされないと、前群の主点位置が像側に近づき、前群、後群の屈折力が大きくなり、収差補正が困難となる。
【００３４】
更に好ましくは条件式（６）を次の如く設定するのが良い。
１．１＜（Ｒ２ｐ＋Ｒ１ｐ）／（Ｒ２ｐ−Ｒ１ｐ）＜３．０    ・・・（６ａ）
【００３５】
本発明の更なる実施態様として、前群は正の屈折力を有するレンズ１枚と、正の屈折力を有するレンズと負の屈折力を有する接合レンズ１枚で構成され、接合レンズの負の屈折力を有するレンズの形状を規定する条件式（７）を満たすことが望ましい。
−５．０＜（Ｒ２ｎ＋Ｒ１ｎ）／（Ｒ２ｎ−Ｒ１ｎ）＜−０．６  ・・・（７）
ただし、Ｒ１ｎは負レンズの物体側の曲率半径、Ｒ２ｎは像側の曲率半径である。条件式（７）を満たすことで、前群の主点位置を後群の主点位置から遠ざけることが可能となり、画面全域で高い光学性能を有した高倍率なエクステンダレンズを得ることができる。条件式（７）の上限の条件が満たされないと、前群の主点位置が像側に近づき、前群、後群の屈折力が大きくなり、収差補正が困難となる。条件式（７）の下限の条件が満たされないと、負レンズの屈折力が小さくなり過ぎ、収差補正が困難となる。
【００３６】
更に好ましくは条件式（７）を次の如く設定するのが良い。
−４．０＜（Ｒ２ｎ＋Ｒ１ｎ）／（Ｒ２ｎ−Ｒ１ｎ）＜−１．３  ・・・（７ａ）
【００３７】
図２に、実施例１の物体距離１３ｍでエクステンダ退避時の（Ａ）広角端、（Ｂ）焦点距離３５０．１５ｍｍ、（Ｃ）望遠端における縦収差図を示す。但し、焦点距離の値は、後述する数値実施例をｍｍ単位で表したときの値である。また、物体距離１３ｍに合焦させる際、合焦用レンズを４．４４ｍｍ物体側へ繰り出している。図４に、実施例１の物体距離１３ｍでのエクステンダ挿入時の（Ａ）広角端、（Ｂ）焦点距離７７０．０１ｍｍ、（Ｃ）望遠端における縦収差図を示す。エクステンダ退避時の収差図は、球面収差は０．５ｍｍ、非点収差は０．５ｍｍ、歪曲は５％、倍率色収差は０．０５ｍｍのスケールで描かれている。エクステンダ挿入時の収差図は、球面収差は１．００ｍｍ、非点収差は１．００ｍｍ、歪曲は５％、倍率色収差は０．０５０ｍｍのスケールで描かれている。ＦｎｏはＦナンバー、ωは半画角である。尚、広角端と望遠端は変倍用の第２レンズ群Ｕ２が機構上光軸上を移動可能な範囲の両端に位置したときのズーム位置をいう。これらは以下の各実施例において、全て同じである。
【００３８】
実施例１はエクステンダ倍率２．２倍のズームレンズである。
実施例１に対応する数値実施例１の数値データを下記の（数値実施例１）に示す。ｒは物体側より各面の曲率半径、ｄは各面の間隔、ｎｄとνｄは各光学部材のｄ線基準の屈折率とアッベ数である。アッベ数νｄは、ｄ線、Ｃ線、Ｆ線に対する屈折率をそれぞれｎｄ、ｎＣ、ｎＦとしたとき、以下のように表される。
νｄ＝（ｎｄ−１）／（ｎＦ−ｎＣ）
【００３９】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６を各々非球面係数としたとし次式で表す。
【００４０】
【数１】
0006433259.tif 000002
又、例えば「ｅ−Ｚ」は「×１０−Ｚ」を意味する。面番号の横に記載した＊印は非球面であることを示している。
【００４１】
表１に数値実施例１の各条件式の対応値を示す。
数値実施例１は条件式（１）〜（７）の何れも満足しており、高倍率なエクステンダでありながら、小型軽量であり、画面中心から周辺まで高い光学性能を達成している。なお、表１中のｆｍ（ｍ＝１，２，３，・・・）は、エクテンダレンズ群に含まれる単レンズのうちの、物体側からｍ番目に位置するレンズの焦点距離を示す。
【実施例２】
【００４２】
図５は、実施例２のズームレンズの広角端で無限遠物体に合焦時、かつエクステンダ挿入時のレンズ断面図である。
【００４３】
実施例２のエクステンダレンズ群ＵＥＸＴは実施例１と同様の構成である。すなわち、ＵＥＸＴは最も大きい空気間隔を隔てて、物体側の前群と像面側の後群とに分けることができ、前群は正レンズ、正レンズと負レンズの接合レンズ、後群は負レンズと正レンズの接合レンズ、負レンズで構成されている。
【００４４】
図６に、実施例２の物体距離１３ｍでエクステンダ挿入時の（Ａ）広角端、（Ｂ）焦点距離８４０．００ｍｍ、（Ｃ）望遠端における縦収差図を示す。実施例２はエクステンダ倍率２．４倍のズームレンズである。
【００４５】
実施例２に対応する数値実施例２の数値データを下記の（数値実施例２）に示す。
表１に数値実施例２の各条件式の対応値を示す。
数値実施例２は条件式（１）〜（７）の何れも満足しており、高倍率なエクステンダでありながら、小型軽量であり、画面中心から周辺まで高い光学性能を達成している。
【実施例３】
【００４６】
図７は、実施例３のズームレンズの広角端で無限遠物体に合焦時、かつエクステンダ挿入時のレンズ断面図である。
【００４７】
実施例３のエクステンダレンズ群ＵＥＸＴは実施例１、２と同様の構成である。すなわち、ＵＥＸＴは最も大きい空気間隔を隔てて、物体側の前群と像面側の後群とに分けることができ、前群は正レンズ、正レンズと負レンズの接合レンズ、後群は負レンズと正レンズの接合レンズ、負レンズで構成されている。
【００４８】
図８に、実施例３の物体距離１３ｍでエクステンダ挿入時の（Ａ）広角端、（Ｂ）焦点距離９７８．５１ｍｍ、（Ｃ）望遠端における縦収差図を示す。実施例３はエクステンダ倍率２．８倍のズームレンズである。
【００４９】
実施例３に対応する数値実施例３の数値データを下記の（数値実施例３）に示す。
表１に数値実施例３の各条件式の対応値を示す。
数値実施例３は条件式（１）〜（７）の何れも満足しており、高倍率なエクステンダでありながら、小型軽量であり、画面中心から周辺まで高い光学性能を達成している。
【実施例４】
【００５０】
図９は、実施例４のズームレンズの広角端で無限遠物体に合焦時、かつエクステンダ挿入時のレンズ断面図である。
【００５１】
実施例４のエクステンダレンズ群ＵＥＸＴの前群は正レンズ、正レンズと負レンズの接合レンズ、後群は正レンズと負レンズの接合レンズ、負レンズで構成されている。
【００５２】
図１０に、実施例４の物体距離１３ｍでエクステンダ挿入時の（Ａ）広角端、（Ｂ）焦点距離１０５０．０１ｍｍ、（Ｃ）望遠端における縦収差図を示す。実施例４はエクステンダ倍率３．０倍のズームレンズである。
【００５３】
実施例４に対応する数値実施例４の数値データを下記の（数値実施例４）に示す。
表１に数値実施例４の各条件式の対応値を示す。
数値実施例４は条件式（１）〜（７）の何れも満足しており、高倍率なエクステンダでありながら、小型軽量であり、画面中心から周辺まで高い光学性能を達成している。
【実施例５】
【００５４】
図１１は本発明の実施例５のズームレンズの広角端で無限遠物体に合焦時、かつエクステンダ挿入前のレンズ断面図である。実施例６〜８のエクステンダ挿入前のレンズも同じである。
【００５５】
Ｕ１はズーミングのためには移動しない正の屈折力の第１レンズ群である。Ｕ１の一部のレンズ群が無限遠物体から近距離物体にフォーカシングする際に物体側に移動する。Ｕ２は広角端（短焦点距離端）から望遠端（長焦点距離端）へのズーミングに際して像側へ移動する変倍用の負の屈折力の第２レンズ群（バリエータレンズ群）である。Ｕ３は第２レンズ群Ｕ２に連動して移動し、変倍に伴う像面変動を補正する正の屈折力の第３レンズ群（コンペンセータレンズ群）である。Ｕ４はズーミングに際して不動の開口絞りＳＰを含み、ズーミングに際して不動の正の屈折力のリレーレンズ群である。Ｕ４はＵ４１、Ｕ４３の２つの群に分けることができ、Ｕ４１、Ｕ４３はズーミングのためには不動のレンズ群である。ＩＰは像面であり、固体撮像素子（光電変換素子）の撮像面に相当している。
【００５６】
次に、実施例５〜８のエクステンダ挿入前における各群のレンズ構成について説明する。以下、各レンズは物体側より像側へ順に配置されているものとする。
【００５７】
第１レンズ群Ｕ１は負レンズ３枚、正レンズ２枚、正レンズと負レンズの接合レンズ、負レンズと正レンズの接合レンズ１枚、正レンズ２枚で構成されている。フォーカシングに際して物体側から２枚目の正レンズと正レンズと負レンズの接合レンズが移動する。第２レンズ群Ｕ２は負レンズ２枚、正レンズと正レンズの接合レンズ、正レンズで構成されている。第３レンズ群Ｕ３は負レンズと正レンズの接合レンズで構成されている。第４１レンズ群Ｕ４１は開口絞りと正レンズ２枚、正レンズと負レンズの接合レンズで構成されている。第４３レンズ群Ｕ４３は正レンズ、負レンズと正レンズの接合レンズ、正レンズと負レンズの接合レンズ、正レンズで構成されている。
【００５８】
図１２に、実施例１の物体距離２ｍでエクステンダ退避時の（Ａ）広角端、（Ｂ）焦点距離２８．２０ｍｍ、（Ｃ）望遠端における縦収差図を示す。物体距離２ｍに合焦させる際、合焦用レンズを０．４０ｍｍ像側へ繰り出している。
【００５９】
図１３は実施例５のズームレンズの広角端で無限遠物体に合焦しているときのエクステンダ挿入時のレンズ断面図である。第４１レンズ群Ｕ４１と第４３レンズ群Ｕ４３の間にエクステンダレンズ群ＵＥＸＴが挿入されている。さらに、ＵＥＸＴは最も大きい空気間隔を隔てて、前群と後群に分けることができ、前群は正レンズ、正レンズと負レンズの接合レンズ、後群は負レンズと正レンズの接合レンズ、負レンズで構成されている。
【００６０】
図１４に、実施例５の物体距離２ｍでのエクステンダ挿入時の（Ａ）広角端、（Ｂ）焦点距離５０．７６ｍｍ、（Ｃ）望遠端における縦収差図を示す。実施例５はエクステンダ倍率１．８倍のズームレンズである。
【００６１】
実施例５に対応する数値実施例５の数値データを下記の（数値実施例５）に示す。
表１に数値実施例５の各条件式の対応値を示す。
数値実施例５は条件式（１）〜（４）、（６）〜（７）を満足しており、高倍率なエクステンダでありながら、小型軽量であり、画面中心から周辺まで高い光学性能を達成している。
【実施例６】
【００６２】
図１５は、実施例６のズームレンズの広角端で無限遠物体に合焦時、かつエクステンダ挿入時のレンズ断面図である。
【００６３】
実施例６のエクステンダレンズ群ＵＥＸＴの前群は正レンズ、正レンズと負レンズの接合レンズ、後群は正レンズと負レンズの接合レンズ、負レンズで構成されている。
【００６４】
図１６に、実施例６の物体距離２ｍでエクステンダ挿入時の（Ａ）広角端、（Ｂ）焦点距離６２．０４ｍｍ、（Ｃ）望遠端における縦収差図を示す。実施例６はエクステンダ倍率２．２倍のズームレンズである。
【００６５】
実施例６に対応する数値実施例６の数値データを下記の（数値実施例６）に示す。
表１に数値実施例６の各条件式の対応値を示す。
数値実施例６は条件式（１）〜（７）の何れも満足しており、高倍率なエクステンダでありながら、小型軽量であり、画面中心から周辺まで高い光学性能を達成している。
【実施例７】
【００６６】
図１７は、実施例７のズームレンズの広角端で無限遠物体に合焦時、かつエクステンダ挿入時のレンズ断面図である。
【００６７】
実施例７のエクステンダレンズ群ＵＥＸＴは実施例６と同様の構成である。すなわち、エクステンダレンズ群ＵＥＸＴは、正レンズ、正レンズと負レンズの接合レンズからなる前群と、正レンズと負レンズの接合レンズ、負レンズからなる後群で構成されている。
【００６８】
図１８に、実施例７の物体距離２ｍでエクステンダ挿入時の（Ａ）広角端、（Ｂ）焦点距離６７．６８ｍｍ、（Ｃ）望遠端における縦収差図を示す。実施例７はエクステンダ倍率２．４倍のズームレンズである。
【００６９】
実施例７に対応する数値実施例７の数値データを下記の（数値実施例７）に示す。
表１に数値実施例７の各条件式の対応値を示す。
数値実施例７は条件式（１）〜（７）の何れも満足しており、高倍率なエクステンダでありながら、小型軽量であり、画面中心から周辺まで高い光学性能を達成している。
【実施例８】
【００７０】
図１９は、実施例８のズームレンズの広角端で無限遠物体に合焦時、かつエクステンダ挿入時のレンズ断面図である。
【００７１】
実施例８のエクステンダレンズ群ＵＥＸＴは実施例６、７と同様の構成である。すなわち、エクステンダレンズ群ＵＥＸＴは、正レンズ、正レンズと負レンズの接合レンズからなる前群と、正レンズと負レンズの接合レンズ、負レンズからなる後群で構成されている。
【００７２】
図２０に、実施例８の物体距離２ｍでエクステンダ挿入時の（Ａ）広角端、（Ｂ）焦点距離７０．５０ｍｍ、（Ｃ）望遠端における縦収差図を示す。実施例８はエクステンダ倍率２．５倍のズームレンズである。
【００７３】
実施例８に対応する数値実施例８の数値データを下記の（数値実施例８）に示す。
表１に数値実施例８の各条件式の対応値を示す。
数値実施例８は条件式（１）〜（７）の何れも満足しており、高倍率なエクステンダでありながら、小型軽量であり、画面中心から周辺まで高い光学性能を達成している。
【００７４】
（撮像装置）
図２２は、本発明の実施例１乃至８のいずれかのズームレンズを撮影光学系として用いた撮像装置（テレビカメラシステム）の要部概略図である。図２２において１０１は実施例１〜８のいずれかのズームレンズである。１２４はカメラである。ズームレンズ１０１はカメラ１２４に対して着脱可能となっている。１２５はカメラ１２４にズームレンズ１０１を装着することで構成される撮像装置である、ズームレンズ１０１は第１レンズ群Ｆ、変倍部ＬＺ、結像用のＲレンズ群Ｒを有している。第１レンズ群Ｆはフォーカシングに際して移動するレンズ群が含まれている。
【００７５】
変倍部ＬＺはズーミングに際して移動する少なくとも２群以上のレンズ群が含まれている。変倍部ＬＺより像側には開口絞りＳＰ、Ｒ１レンズ群Ｒ１、Ｒ２レンズ群Ｒ２、Ｒ３レンズ群Ｒ３が配置され、光路中より挿抜可能なレンズユニットＩＥを有している。Ｒ２レンズ群Ｒ２とレンズユニットＩＥを切り替えることで、ズームレンズ１０１の全系の焦点距離範囲を変位している。また、実施例５〜８では、Ｒ２レンズ群Ｒ２を有さず、レンズユニットＩＥがＲ１レンズ群Ｒ１とＲ３レンズ群Ｒ３の間に挿入されることで、焦点距離範囲を変移させている。１１４、１１５は各々第１群Ｆ、変倍部のＬＺを光軸方向に駆動するヘリコイドやカム等の駆動機構である。１１６〜１１８は駆動機構１１４、１１５および開口絞りＳＰを電気駆動するモータ（駆動手段）である。
【００７６】
１１９〜１２１は、第１レンズ群Ｆや変倍部ＬＺの光軸上の位置や、開口絞りＳＰの絞り径を検出するためのエンコーダやポテンショメータ、あるいはフォトセンサなどの検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサなどの固体撮像素子（光電変換素子）である。また、１１１、１２２はカメラ１２４及びズームレンズ１０１の各種の駆動を制御するＣＰＵである。
【００７７】
このように本発明のズームレンズをテレビカメラに適用することにより、高い光学性能を有する撮像装置を実現している。
【００７８】
以上、本発明の好ましい実施形態について説明したが、本発明はこれらの実施形態に限定されず、その要旨の範囲内で種々の変形及び変更が可能である。
【００７９】
（数値実施例１）
＜エクステンダ退避時＞
単位 mm
面データ
面番号       r        d      nd         vd
1       7000.000    6.00   1.83400    37.2           
2        345.379    2.00                             
3        345.379   25.91   1.43387    95.1           
4       -527.375   20.74                             
5        331.921   18.73   1.43387    95.1           
6      -4082.422    0.25                             
7        264.903   19.29   1.43387    95.1           
8       3887.712    0.25                             
9        171.964   16.12   1.43875    94.9           
10        367.798  (可変)                             
11       1547.347    2.00   2.00330    28.3           
12         43.466    8.24                             
13        -55.129    2.00   1.88300    40.8           
14         63.246    9.63   1.92286    18.9           
15        -66.171    1.02                             
16        -59.413    2.00   1.77250    49.6           
17*      2736.384  (可変)                             
18        108.766   12.13   1.56907    71.3           
19*     -3543.181    0.20                             
20        100.674   13.34   1.49700    81.5           
21       -613.181    0.20                             
22        103.700    2.50   1.84666    23.8           
23         60.132   20.33   1.43875    94.9           
24       -268.844    0.20                             
25*       201.189    5.73   1.43875    94.9           
26       -889.802  (可変)                             
27(絞り)    ∞       4.95                             
28         92.953    1.40   1.81600    46.6           
29         22.568    5.29   1.84666    23.8           
30         44.547    5.59                             
31        -42.017    1.40   1.88300    40.8           
32       -180.917    6.56                             
33        -27.706    1.80   1.77250    49.6           
34      -1000.000    2.43   1.84666    23.8           
35        -83.104    3.03                             
36          ∞       9.20   1.62041    60.3           
37        -44.191    7.98                             
38      -2164.914    6.32   1.51633    64.1           
39        -50.747    0.20                             
40       -163.586    1.60   1.88300    40.8           
41         35.000    9.86   1.49700    81.5           
42        -62.079    0.20                             
43       3276.058    8.50   1.53172    48.8           
44        -23.868    1.60   1.83481    42.7           
45        -70.045    0.20                             
46        106.332    7.70   1.48749    70.2           
47        -40.375   14.00                             
48          ∞      33.00   1.60859    46.4           
49          ∞      13.20   1.51633    64.2           
50          ∞      11.99                             
像面        ∞   
非球面データ
第17面
K =-2.53234e+004  A 4=-4.13015e-007  A 6=-2.14627e-010  A 8= 2.26588e-013  
第19面
K = 5.22565e+003  A 4= 8.81676e-008  A 6= 1.58180e-012  A 8= 6.14872e-015  
第25面
K =-9.48244e+000  A 4=-7.57187e-007  A 6=-1.54476e-010  A 8= 2.42122e-014  
各種データ
ズーム比    100.00 
広角     中間     望遠
焦点距離       9.30   350.15   930.38  
Fナンバー      1.90     1.90     5.00  
画角          30.59     0.90     0.34  
像高           5.50     5.50     5.50  
レンズ全長   618.99   618.99   618.99  
BF            11.99    11.99    11.99  
d10            3.07   167.18   176.64  
d17          266.10    45.26     1.96  
d26            3.00    59.73    93.57  
ズームレンズ群データ
群  始面    焦点距離  
1    1     238.05  
2   11     -25.00  
3   18      66.50  
4   27      44.51  
【００８０】
＜エクステンダ挿入時＞
単位 mm
面データ
面番号        r        d      nd        vd
32        -180.917    3.00                             
IE33        33.973    4.92   1.57135    53.0           
IE 34      -81.453    0.20                             
IE 35       14.804    5.76   1.43875    94.9           
IE 36       92.558    1.00   1.84666    23.8           
IE 37       15.408    5.62                             
IE 38     1899.036    0.70   1.78800    47.4           
IE 39       10.432    5.19   1.76182    26.5           
IE 40      -43.454    0.56                             
IE 41      -39.040    0.55   1.90043    37.4           
IE 42       42.548    3.50                             
各種データ
広角     中間     望遠
焦点距離      20.46   770.01  2046.00  
Fナンバー      4.18     4.18    11.00  
画角          15.05     0.41     0.15  
像高           5.50     5.50     5.50  
レンズ全長   618.99   618.99   618.99  
BF            11.99    11.99    11.99  
ズームレンズ群データ
群  始面    焦点距離  
1    1     238.05  
2   11     -25.00  
3   18      66.50  
4   27     -40.97  
5   33      63.87  
6   38     -35.18  
7   43      54.89  
【００８１】
（数値実施例２）
＜エクステンダ挿入時＞
単位 mm
面データ
面番号        r        d      nd        vd
32        -180.917    3.00                             
IE 33       33.698    4.62   1.61772    49.8           
IE 34      -93.375    2.06                             
IE 35       13.735    5.38   1.43875    94.9           
IE 36       58.801    1.00   1.92286    18.9           
IE 37       15.223    5.31                             
IE 38      898.449    0.70   1.88300    40.8           
IE 39       10.492    4.31   1.80809    22.8           
IE 40      -40.536    0.62                             
IE 41      -33.074    0.50   1.88300    40.8           
IE 42       37.246    3.50                             
各種データ
広角     中間     望遠
焦点距離      22.32   840.00  2231.96  
Fナンバー      4.56     4.56    12.00  
画角          13.84     0.38     0.14  
像高           5.50     5.50     5.50  
レンズ全長   618.99   618.99   618.99  
BF            11.99    11.99    11.99  
d10            3.07   167.18   176.64  
d17          266.10    45.26     1.96  
d26            3.00    59.73    93.57  
ズームレンズ群データ
群  始面    焦点距離  
1    1     238.05  
2   11     -25.00  
3   18      66.50  
4   27     -40.97  
5   33      54.34  
6   38     -27.44  
7   43      54.89  
【００８２】
（数値実施例３）
＜エクステンダ挿入時＞
単位 mm
面データ
面番号        r        d      nd        vd
32        -180.917    2.00                             
IE 33       38.494    4.31   1.69680    55.5           
IE 34      -82.475    0.20                             
IE 35       14.037    5.12   1.49700    81.5           
IE 36       55.654    1.00   2.00069    25.5           
IE 37       16.335   10.85                             
IE 38      -46.109    0.55   1.88300    40.8           
IE 39       10.501    2.87   1.80809    22.8           
IE 40      -58.962    0.20                             
IE 41     -259.525    0.40   1.95375    32.3           
42          27.192    3.50                             
各種データ
広角     中間     望遠
焦点距離      26.00   978.51  2600.00  
Fナンバー      5.32     5.31    13.98  
画角          11.94     0.32     0.12  
像高           5.50     5.50     5.50  
レンズ全長   618.99   618.99   618.99  
BF            11.99    11.99    11.99  
d10            3.07   167.18   176.64  
d17          266.10    45.26     1.96  
d26            3.00    59.73    93.57  
ズームレンズ群データ
群  始面    焦点距離  
1    1     238.05  
2   11     -25.00  
3   18      66.50  
4   27     -40.97  
5   33      43.75  
6   38     -18.97  
7   43      54.89  
【００８３】
（数値実施例４）
＜エクステンダ挿入時＞
単位 mm
面データ
面番号        r        d      nd        vd
32        -180.917    2.00                             
IE 33       27.297    4.95   1.59522    67.7           
IE 34     -113.982    0.20                             
IE 35       12.514    5.19   1.51633    64.1           
IE 36       35.710    1.00   2.00069    25.5           
IE 37       12.082    8.36                             
IE 38       31.779    3.62   1.92286    18.9           
IE 39      -12.031    1.00   2.00100    29.1           
IE 40       73.213    0.79                             
IE 41      -40.920    0.40   2.00100    29.1           
IE 42       26.661    3.50                             
各種データ
広角     中間     望遠
焦点距離      27.90  1050.01  2790.00  
Fナンバー      5.70     5.70    15.00  
画角          11.15     0.30     0.11  
像高           5.50     5.50     5.50  
レンズ全長   618.99   618.99   618.99  
BF            11.99    11.99    11.99  
d10            3.07   167.18   176.64  
d17          266.10    45.26     1.96  
d26            3.00    59.73    93.57  
d32            2.00     2.00     2.00  
d37            8.36     8.36     8.36  
d42            3.50     3.50     3.50  
d55           11.99    11.99    11.99  
ズームレンズ群データ
群  始面    焦点距離  
1    1     238.05  
2   11     -25.00  
3   18      66.50  
4   27     -40.97  
5   33      52.39  
6   38     -21.17  
7   43      54.89  
【００８４】
（数値実施例５）
＜エクステンダ退避時＞
単位 mm
面データ
面番号        r        d      nd        vd
1*       165.849    2.50   1.77250    49.6           
2         35.658   17.14                             
3        313.071    1.85   1.75500    52.3           
4         73.027   14.14                             
5        -71.148    1.75   1.81600    46.6           
6       1331.584    0.20                             
7        128.367    5.44   1.76182    26.5           
8      -1469.611    2.59                             
9       -856.864    7.10   1.62041    60.3           
10*       -75.562    0.20                             
11        285.540   11.05   1.49700    81.5           
12        -71.555    1.65   1.80100    35.0           
13       -110.348    5.63                             
14         92.439    1.65   2.00330    28.3           
15         51.212   13.74   1.49700    81.5           
16       -212.516    0.20                             
17        105.199    8.26   1.48749    70.2           
18       -130.939    0.20                             
19         86.531    4.76   1.62041    60.3           
20       1175.877  (可変)                             
21         30.089    0.75   1.88300    40.8           
22         19.190    2.63                             
23         48.585    0.75   1.88300    40.8           
24         17.033    5.09                             
25        -45.839    6.09   1.76182    26.5           
26        -11.662    0.80   1.88300    40.8           
27       -159.144    0.20                             
28         36.196    2.20   1.78472    25.7           
29        105.945  (可変)                             
30        -25.202    0.75   1.77250    49.6           
31         70.191    2.45   1.80809    22.8           
32       -111.781  (可変)                             
33(絞り)    ∞       1.40                             
34       1033.220    3.32   1.58913    61.1           
35        -45.385    0.20                             
36       -218.807    1.72   1.64850    53.0           
37       -152.230    0.20                             
38         46.646    6.50   1.51742    52.4           
39        -31.419    1.20   1.83481    42.7           
40       -107.009   32.00                             
41         73.440    4.62   1.64850    53.0           
42        -44.921    4.99                             
43        -37.276    1.20   1.88300    40.8           
44         23.446    6.23   1.51633    64.1           
45        -46.992    0.19                             
46         38.245    7.24   1.48749    70.2           
47        -23.405    1.20   1.88300    40.8           
48       -194.631    0.20                             
49        104.166    4.96   1.62041    60.3           
50        -32.104    4.00                             
51          ∞      33.00   1.60859    46.4           
52          ∞      13.20   1.51680    64.2           
53          ∞       6.57                             
像面        ∞   
非球面データ
第1面
K = 6.52240e+000  A 4= 5.29556e-008  A 6= 1.32468e-009  A 8=-2.51837e-012  A10= 2.72329e-015  A12=-1.71051e-018  A14= 5.71544e-022  A16=-7.85485e-026  
第10面
K =-1.57027e+000  A 4=-3.78300e-008  A 6= 5.09666e-010  A 8=-1.47845e-012  A10= 2.71402e-015  A12=-2.85478e-018  A14= 1.57474e-021  A16=-3.62213e-025  
各種データ
ズーム比     11.00 
広角     中間     望遠
焦点距離       4.70    28.20    51.70  
Fナンバー      1.90     1.90     2.39  
画角          49.48    11.04     6.07  
像高           5.50     5.50     5.50  
レンズ全長   306.53   306.53   306.53  
BF             6.57     6.57     6.57  
d20            0.91    38.35    43.89  
d29           42.24     3.78     5.61  
d32            7.50     8.52     1.15  
ズームレンズ群データ
群  始面    焦点距離  
1    1      30.00  
2   21     -17.50  
3   30     -44.40  
4   33      59.48  
【００８５】
＜エクステンダ挿入時＞
単位 mm
面データ
面番号        r        d      nd        vd
40        -107.009    1.50                             
IE 41       28.814    6.19   1.61800    63.3           
IE 42     -160.713    3.00                             
IE 43       20.706    7.00   1.58913    61.1           
IE 44      -60.672    3.00   2.00069    25.5           
IE 45       14.364    5.00                             
IE 46      -31.866    0.55   1.88300    40.8           
IE 47       23.493    3.26   1.80809    22.8           
IE 48      -40.686    2.50                             
各種データ
広角     中間     望遠
焦点距離       8.46    50.76    93.06  
Fナンバー      3.42     3.42     4.30  
画角          33.03     6.18     3.38  
像高           5.50     5.50     5.50  
レンズ全長   306.53   306.53   306.53  
BF             6.57     6.57     6.57  
d20            0.91    38.35    43.89  
d29           42.24     3.78     5.61  
d32            7.50     8.52     1.15  
ズームレンズ群データ
群  始面    焦点距離  
1    1      30.00  
2   21     -17.50  
3   30     -44.40  
4   33      42.26  
5   41     182.66  
6   46    -104.10  
7   49      46.98  
【００８６】
（数値実施例６）
＜エクステンダ挿入時＞
単位 mm
面データ
面番号        r        d      nd        vd
40        -107.009    1.50                             
IE 41       24.099    6.13   1.53775    74.7           
IE 42     -241.540    1.32                             
IE 43       18.455    8.00   1.72916    54.7           
IE 44     -148.147    1.50   2.00069    25.5           
IE 45       11.490    4.02                             
IE 46       41.388    5.00   1.80809    22.8           
IE 47      -10.519    0.60   1.90366    31.3           
IE 48     -996.571    0.89                             
IE 49      -41.728    0.55   1.88300    40.8           
IE 50       73.440    2.50                             
各種データ
広角     中間     望遠
焦点距離      10.34    62.04   113.74  
Fナンバー      4.18     4.18     5.26  
画角          28.01     5.07     2.77  
像高           5.50     5.50     5.50  
レンズ全長   306.54   306.54   306.54  
BF             6.58     6.58     6.58  
d20            0.91    38.35    43.89  
d29           42.24     3.78     5.61  
d32            7.50     8.52     1.15  
ズームレンズ群データ
群  始面    焦点距離  
1    1      30.00  
2   21     -17.50  
3   30     -44.40  
4   33      42.26  
5   41     113.76  
6   46     -52.68  
7   51      46.98  
【００８７】
（数値実施例７）
＜エクステンダ挿入時＞
単位 mm
面データ
面番号       r        d      nd         vd
40       -107.009    1.50                             
41         22.605    7.41   1.49700    81.5           
42       -632.651    0.32                             
43         15.200    5.48   1.75500    52.3           
44         72.051    1.61   1.85478    24.8           
45         10.116    6.88                             
46         28.981    4.01   1.80809    22.8           
47        -10.645    0.60   1.95375    32.3           
48        103.770    1.14                             
49        -28.895    0.55   1.95375    32.3           
50         73.440    2.50                             
各種データ
広角     中間     望遠
焦点距離      11.28    67.68   124.08  
Fナンバー      4.56     4.56     5.74  
画角          25.99     4.65     2.54  
像高           5.50     5.50     5.50  
レンズ全長   306.53   306.53   306.53  
BF             6.57     6.57     6.57  
ズームレンズ群データ
群  始面    焦点距離  
1    1      30.00  
2   21     -17.50  
3   30     -44.40  
4   33      42.26  
5   41      65.71  
6   46     -27.67  
7   51      46.98  
【００８８】
（数値実施例８）
＜エクステンダ挿入時＞
単位 mm
面データ
面番号        r        d      nd        vd
40        -107.009    1.50
IE 41       20.082    6.72   1.53775    74.7           
IE 42     4362.024    0.20                             
IE 43       17.511    5.49   1.72916    54.7           
IE 44      346.025    3.50   2.00069    25.5           
IE 45       10.793    4.00                             
IE 46       26.905    4.88   1.80809    22.8           
IE 47       -9.311    0.60   1.95375    32.3           
IE 48    -2210.974    2.06                             
IE 49      -26.766    0.55   2.00100    29.1           
IE 50       82.896    2.50                             
各種データ
広角     中間     望遠
焦点距離      11.75    70.50   129.24  
Fナンバー      4.75     4.75     5.98  
画角          25.08     4.46     2.44  
像高           5.50     5.50     5.50  
レンズ全長   306.53   306.53   306.53  
BF             6.57     6.57     6.57  
d20            0.91    38.35    43.89  
d29           42.24     3.78     5.61  
d32            7.50     8.52     1.15  
ズームレンズ群データ
群  始面    焦点距離  
1    1      30.00  
2   21     -17.50  
3   30     -44.40  
4   33      42.26  
5   41      89.76  
6   46     -36.47  
7   51      46.98  
【００８９】
【表１】
0006433259.tif 000003
【符号の説明】
【００９０】
ＳＰ    ：開口絞り
Ｕ４１  ：第４１レンズ群
Ｕ４３  ：第４３レンズ群
ＵＥＸＴ：エクステンダレンズ群
【図１】
0006433259.tif 000004
【図２】
0006433259.tif 000005
【図３】
0006433259.tif 000006
【図４】
0006433259.tif 000007
【図５】
0006433259.tif 000008
【図６】
0006433259.tif 000009
【図７】
0006433259.tif 000010
【図８】
0006433259.tif 000011
【図９】
0006433259.tif 000012
【図１０】
0006433259.tif 000013
【図１１】
0006433259.tif 000014
【図１２】
0006433259.tif 000015
【図１３】
0006433259.tif 000016
【図１４】
0006433259.tif 000017
【図１５】
0006433259.tif 000018
【図１６】
0006433259.tif 000019
【図１７】
0006433259.tif 000020
【図１８】
0006433259.tif 000021
【図１９】
0006433259.tif 000022
【図２０】
0006433259.tif 000023
【図２１】
0006433259.tif 000024
【図２２】
0006433259.tif 000025